(57)【要約】【課題】経費と手のかかる潅水装置を必要とせず、無土壌面でも様々な場所に対応できる緑化工法とその構造の提供。【解決手段】無土壌面上に防根と保水を目的とした塩ビシートと保水シートを順に敷き、その上部へ遮光ネットと不織布で保水性の高い軽量な基盤土を包み込んでマット体を形成し、１層目として敷設、次に不織布で保水性と保肥性の高い軽量な基盤土を包み込んでマット体を形成し２層目として敷設し、更に１層目と同じマット体を３層目として敷設することで薄層でも水分の蒸発を防ぎ、基盤土の高い保水力で潅水装置を必要としない緑化基盤を作り、導入植物の育成を長期にわたり可能とするトリプルマット緑化構造である。【選択図】図５
2019041718.tif 000002
【特許請求の範囲】
【請求項１】
無土壌面上に防根と保水を目的とした塩ビシートと保水シートを順に敷き、遮光ネットと不織布で保水性の高い基盤土を包み込んで形成した植生基盤マットを１層目として敷き、次に不織布で保水性と保肥性の高い基盤土を包み込んで形成した軽量肥沃土マットを２層目とし、更に３層目に１層目と同じ植栽基盤マットを重ねることを特徴としたトリプルマット緑化構造。
【請求項２】
植栽基盤マット、軽量肥沃土マット、植栽基盤マットの順で重ねた構造が、薄層で軽量であることを特徴とした請求項１記載のトリプルマット緑化構造。
【発明の詳細な説明】
【技術分野】
【０００１】
本発明は、薄層で保水力の高い植生基盤マットを重ねて使用することによりその効果を更に高め、無土壌面でも潅水装置を設置せず無潅水での緑化構造に関するものである。
【背景技術】
【０００２】
従来、屋上等の無土壌面への緑化を行う場合、防水・防根の処理をした後に植生基盤土層を造成し、この植生基盤土層に散水養生するための潅水装置を設置して、植物を生育させるのが一般的である。しかし、既存のビル屋上や屋根等に緑化設備を行う場合、荷重制限の問題と特に水を供給する設備が少なく、新たに給水設備工事を行い、潅水装置を設置するといった費用が掛かるため、既存の建物ではなかなか緑化設備を導入することが困難であった。又、アスファルトやコンクリート面に緑化をする場合には、一度その層を打ち壊し、新たに緑化基盤を形成する必要があった。  
【０００３】
そこで近年では、雨水を貯めるプール層を設置しその上部に緑化基盤を上げる構造
【特許文献１】や、貯水タンクを設置して水を循環させる工法
【特許文献２】、土壌の水分量を感知して作動する潅水タイマー
【特許文献３】などを使用して、潅水用の点滴チューブに水を流しコスト削減を図る工法などが用いられることが多くなっている。
【先行技術文献】
【特許文献】
【０００４】
【特許文献１】特開２００４−１５９５９６号公報
【特許文献２】特開２００７−２３６３７９号公報
【特許文献３】特開２０１１−２５４７２２号公報
【発明の概要】
【０００５】
しかし、貯水槽や潅水タイマーを設置する、相当の手間と場合には、コストが掛かる上に、器具のメンテナンスや維持費も掛かるようになってしまう。更に屋上や屋根等には重量制限があり、貯水槽を屋上や屋根に設置し、植物の成長に必要な水分を確保しようとするとその重量で既存の建物の制限範囲を超え、その設置自体が難しくなる。また、アスファルト面等では緑化基盤を形成するまでの工事の費用と時間が掛かりすぎる問題があるうえ、基盤を形成し潅水装置を設置しても潅水用のチューブ等に障害を及ぼす事例が数多くあり、水分の供給がうまくいかない問題がある。
【発明が解決しようとする課題】
【０００６】
本発明は、上記背景技術で記載した問題を解決すべく、荷重制限の厳しい建物や給水設備がない様々な無土壌面にも、長期間基盤内に導入植物が育成可能な水分を保持し、軽量で耐久性のある基盤を形成し、潅水装置を設置することなく、導入植物の緑化が早期に低コストでできる緑化構造の提供が必要であると考える。
【課題を解決するための手段】
【０００７】
本発明は、１層目に保水性の高い軽量基盤土（ココピート、細粒バーク、水苔、肥料）を耐候性・耐久性に優れた高密度ポリエチレン製の遮光ネットとポリエステル製不織布で包み込んだ２ｃｍ厚の植生基盤マットを形成してこれを敷きならべ、２層目に保肥性の高い軽量肥沃土（肥沃土、ココピート、ファイバー、水苔、パーライト、肥料）をポリエステル製の不織布で包み込み、２ｃｍ厚の肥沃土マットを形成し、一層目の上部に敷きならべる。更に１層目と同じ植生基盤マットを３層目として敷きならべることで、約６ｃｍ厚の薄層で保水性と保肥性に優れた緑化基盤を形成するトリプルマット緑化構造を提供するものである。
【０００８】
又、基盤材がマット状になっており、敷きならべるだけで植栽基盤が形成されるため、短期間で施工ができるとともに、費用を抑えることができる緑化構造。
【発明の効果】
【０００９】
ポリエチレン製の遮光ネット、ポリエステル不織布が１０層にも重なり合って水分の蒸発を防ぎ、更に保水性・保肥性が高い軽量基盤土が長期にわたって水分を保持するため、潅水装置を設置しなくても、植物の生育が可能となる。
【００１０】
そして、屋上等での厳しい重量制限にも対応する薄層タイプの腐植しにくい材質で形成された植生基盤マットは、荷重制限が厳しい既存の建物や給水設備のない様々な場所での緑化が図れる。また、基盤がマット状なので、基盤土の流出を防ぎ、安定した基盤を長期間維持することが可能であるとともに、施工が簡単で工費を抑え、早期に自然環境を復元することが可能となる。
【図面の簡単な説明】
【００１１】
【図１】植生基盤マット（１層目・3層目）の構造を示す斜視図である。
【図２】植生基盤マット（１層目・3層目）の構造を示す断面図である。
【図３】軽量肥沃土マット（２層目）の構造を示す斜視図である。
【図４】軽量肥沃土マット（２層目）の構造を示す断面図である。
【図５】トリプルマット緑化構造を示す説明図である。
【図６】枠を使用した際のトリプルマット緑化構造の手順を示す説明図である。
【発明を実施するための形態】
【００１２】
以下、図面を参照して本発明の具体的な実施形態を詳述する。
【実施例】
【００１３】
図１は、１層目、３層目に使用するいずれも破損や腐蝕がしにくく植生基盤土の流出がない程度のメッシュで形成された植生基盤マット１を構成する分解図である。植生基盤マットを構成している材質は、ポリエチレン製の遮光率が９０％〜９５％の遮光ネットシート１ｄ、植物の根を通すポリエステル製の不織布１ｂの順に重ねて底部を形成し、その底部上に植生基盤土１ｃ（水苔１２％・バーク堆肥１２％・ココピート７６％の混合物に有機肥料を配合）を４ｃｍ厚に敷き詰め、圧縮して２ｃｍ厚の植生基盤土１ｃを形成し、その上に底部を形成した材質のポリエステルの不織布１ｂ、ポリエチレン製の遮光率６０％〜６５％の遮光ネット１ａの順に重ね形成した構造を示したものである。
【００１４】
図２は、植生基盤層内の断面図である。底部と上部が一体化し、植生基盤土のマット内移動を抑え、構造体を堅持するように腐蝕しにくい縫い糸１ｅを用いて、縦のラインを一定間隔で縫製したことを特徴とする植生基盤マット１である。
【００１５】
上記構成の植生基盤マットは、植生基盤土１ｃの７０％を占める割合で自重の約８倍の保水力があるココピートに、自重の約４倍の保水力がある水苔が混合配合された基盤土を腐食しにくい材質のシート類を用いてマット状に縫製した植生基盤マットであり、耐久性が高く、貯水機能を兼ね備えているマットで、導入される植物の長期緑化が図れる十分な水分量が確保できる構造の植生基盤マットである。
【００１６】
図３は、２層目に使用する基盤土の流出がない軽量肥沃土マット２の分解図である。肥沃土マットを構成している素材は、ポリエステル製の不織布２ａを底部とし、その底部上に肥沃土（粘性土、牛糞、鶏糞、おが粉、米ぬか、菜種油粕、消石灰、有用微生物群）３０％、ココピート３０％、ファイバー２０％、水苔１０％、パーライト１０％の混合物に即効性肥料、遅効性肥料を混ぜ入れた基盤土を４ｃｍ厚に敷き詰め、圧縮して２ｃｍ厚の軽量肥沃基盤土２ｂを形成し、その上に底部で使用したものと同じポリエステル製の不織布２ａの順に重ね形成したものである。
【００１７】
図４は、軽量肥沃土基盤層内の断面図である。底部と上部が一体化し、基盤土のマット内移動を抑え、構造体を堅持するように腐蝕しにくい縫い糸２ｃを用い、縦のラインを一定間隔で縫製したことを特徴とする軽量肥沃土マット２である。
【００１８】
上記構成の軽量肥沃土マットは、軽量肥沃基盤土２ｂの３０％を占める割合で自重の約８倍の保水力があるココピートに保水力のあるファイバー、水苔を加え、保水性を更に高めるとともに大幅な軽量化を図ったものに、土壌改良剤と有用醗酵微生物と肥料が混合された肥沃土を加えた基盤土を腐食しにくい材質のシートを用いてマット状に縫製した基盤マットであり、保肥性が高く貯水機能を兼ね備えているマットであり、導入される植物の長期緑化が図れる十分な水分量と保肥量が確保できる構造の植生基盤マットである。
【００１９】
図５は、トリプルマット緑化構造を示す説明図である。植生マット上に張芝をした場合を例に挙げる。まず、無土壌面上に植物の根が侵入しないよう厚さ０．５ｍｍの塩ビシート５を敷き、その上に更なる保水力向上と植物の根の無土壌面への侵入を防ぐため、ポリエステル製の厚さ１．５ｍｍの保水シート４を敷きならべる。
【００２０】
次に、図１で示した植生基盤マット１を不織布の上に敷きならべ、隣り合った植生基盤マットを結束バンドでつなぎ合わせる。すべてのマットを連結後、２層目に図３で示した軽量肥沃土マット２を敷きならべ、これも結束バンドで連結していく。
【００２１】
更に３層目として１層目と同じ植生基盤マット１を軽量肥沃土マット２上に敷きならべ、結束バンドで連結し、これに散水してマット内の水分を飽和状態ほどにしてから張芝３をし、目土をかける。
【００２２】
上記のトリプルマット構造は、１層目から３層目のマット内に蓄えられた水分が、マット自体の特徴である高い保水力と重ね合わせの効果により薄層でも蒸発を抑える構造になっており、無土壌面でも長期間植物の成長に必要な水分量を確保できる緑化構造である。
【００２３】
そして２層目の軽量肥沃土マット２は、植物の成長に必要な栄養素を確保して、早期に根を張りその後長期にわたって植物の育成を促す緑化構造である。
【００２４】
図６は、屋上等の無土壌面でのトリプルマット緑化構造を示す説明図である。屋上や屋根など風の影響を多く受ける場所では、３層の基盤マットの飛散を防止するために、再生プラスチック材の見切枠７でマットの外周に「置き枠」を作成し、基盤マットをタッカー刃８で止める。
基盤マットは、図５で説明したように、結束バンドで連結し一体化させる。これによりマットへの横風の吹き込みを防ぎ、マットの飛散を防止するとともに、風によるマットの乾燥も防止することができる。
【産業上の利用可能性】
【００２５】
ＣＯ２削減が必要とされる状況であるにも関わらず、山々を開拓し緑が失われていく現代において、屋上や屋根に限らずアスファルト面等の無土壌面にも緑化を図ることが必要不可欠になる。そこで低コストで水やりがいらず、薄層で様々な場所に対応できるトリプルマット緑化構造は、自然環境の復元工法として、これから大いに利用される可能性の高いものである。
【符号の説明】
【００２６】
１    植生基盤マット
１ａ  遮光ネット（遮光率６５％）
１ｂ  不織布
１ｃ  植栽基盤土
１ｄ  遮光ネット（遮光率９０％）
１ｅ  縫い糸  
２    肥沃土マット
２ａ  不織布
２ｂ  軽量肥沃土
２ｃ  縫い糸
３    張芝
４    保水シート
５    塩ビシート
６    無土壌面
７    再生プラスチック見切枠
８    タッカー針  
【図１】
2019041718.tif 000003
【図２】
2019041718.tif 000004
【図３】
2019041718.tif 000005
【図４】
2019041718.tif 000006
【図５】
2019041718.tif 000007
【図６】
2019041718.tif 000008